(57)【特許請求の範囲】
【請求項１】
矩形状の底板と、該底板の両側縁に沿って起立する一対の側板と、両側板を介して前記底板に対向する天板と、前記底板の後側縁に沿って起立して背面側を閉塞する背面板と、両側板の少なくとも何れか一方に連設されて前面側を開閉自在に閉塞する前面板とを備え、
前記底板の前側縁に折目線を介して連設された第１脚片を起立させ、該第１脚片の上縁に折目線を介して連設された支持板を後方側に折り倒して前記底板に対向させ、該支持板の後側縁に折目線を介して連設された第２脚片を下方に垂直に折り曲げてその下端縁を前記底板上に当接させ、前記支持板に開設された支持孔に切り花の下端に取り付けられて該切り花に水を供給する保水袋を支持させて切り花を起立状態で収容する切り花輸送箱において、
前記支持板を、前記底板よりも前後方向幅が小さい形状に形成し、
前記底板に、該底板から切起こすことにより前記第２脚片と背面板との間に起立する切起こし片を設け、該切起こし片に、前記支持板の後端部を上方から係止して該支持板を固定する突起を設けたことを特徴とする切り花輸送箱。
【請求項２】
切り花を起立状態で収容する切り花輸送箱に収容され、切り花の下端に取り付けられて該切り花に水を供給する保水袋を支持する切り花支持部材であって、
矩形状の底板の前側縁に折目線を介して連設された第１脚片を起立させ、
該第１脚片の上縁に折目線を介して連設され、保水袋を支持可能とする支持孔が開設されていて前記底板よりも前後方向幅が小さい支持板を、後方側に折り倒して前記底板に対向させ、
該支持板の後側縁に折目線を介して連設された第２脚片を下方に垂直に折り曲げてその下端縁を前記底板上に当接させ、
前記底板に切目線により遊離自在に設けられた切起こし片を該底板から切起こして前記第２脚片の後方に起立させ、
該切起こし片に設けられた突起を前記支持板の後端部の上面に係止させて、該支持板を固定してなることを特徴とする切り花支持部材。
【発明の詳細な説明】
【技術分野】
【０００１】
本発明は、切り花輸送箱及び切り花支持部材に関する。
【背景技術】
【０００２】
従来、切り花を輸送する際に使用する切り花輸送箱が知られている。そして、この種の切り花輸送箱として、切り花をその下端に保水袋を取り付けた状態で収容することにより、輸送中の切り花の鮮度を長時間に亘って保てるようにしたものが知られている（下記特許文献１参照）。
【０００３】
このものは、高さ方向に長い直方体形状の箱であり、その底板には、前記保水袋を支持するための支持板が連設されている。即ち、底板の前側縁に折目線を介して第１脚片が連設され、該第１脚片の先端縁に折目線を介して支持板が連設され、更に、支持板の先端縁に折目線を介して第２脚片が連設された構成を有してる。そして、第１脚片を起立させた後に、支持板を後方側に折り倒して底板に対向させ、更に、第２脚片を下方に垂直に折り曲げることにより、支持板が上げ底状に設けられる。支持板には前記保水袋を挿着可能な支持孔が形成されており、前記保水袋が底板と支持板との間の空間に収容されて、切り花を起立姿勢で包装できるようになっている。
【先行技術文献】
【特許文献】
【０００４】
【特許文献１】特開２００５−１３２３９９号公報
【発明の概要】
【発明が解決しようとする課題】
【０００５】
しかし、上記従来のものは、支持板が第１脚片と第２脚片とで支えられているのみであるため、固定状態が不十分であり、例えば輸送中の振動等の影響により支持板が位置ずれを起こすおそれがある。そして、支持板に位置ずれが生じると、保水袋だけでなく保水袋が取り付けられてる切り花の支持状態も不十分となるため、輸送箱内部で切り花が移動して切り花を損傷するおそれがある。
【０００６】
このような支持板の位置ずれを回避するためには、両側板や背面板に支持板を接着することが考えられるが、それに伴って接着剤を塗布して貼り付ける作業が必要となるため、包装作業の効率が悪化するおそれがある。
【０００７】
上記の点に鑑み、本発明は、支持板を確実に固定することができるだけでなく、包装作業の効率低下を抑えることができる構造簡単な切り花輸送箱及び切り花支持部材を提供することを目的とする。
【課題を解決するための手段】
【０００８】
本発明は、矩形状の底板と、該底板の両側縁に沿って起立する一対の側板と、両側板を介して前記底板に対向する天板と、前記底板の後側縁に沿って起立して背面側を閉塞する背面板と、両側板の少なくとも何れか一方に連設されて前面側を開閉自在に閉塞する前面板とを備え、前記底板の前側縁に折目線を介して連設された第１脚片を起立させ、該第１脚片の上縁に折目線を介して連設された支持板を後方側に折り倒して前記底板に対向させ、該支持板の後側縁に折目線を介して連設された第２脚片を下方に垂直に折り曲げてその下端縁を前記底板上に当接させ、前記支持板に開設された支持孔に切り花の下端に取り付けられて該切り花に水を供給する保水袋を支持させて切り花を起立状態で収容する切り花輸送箱において、前記支持板を、前記底板よりも前後方向幅が小さい形状に形成し、前記底板に、該底板から切起こすことにより前記第２脚片と背面板との間に起立する切起こし片を設け、該切起こし片に、前記支持板の後端部を上方から係止して該支持板を固定する突起を設けたことを特徴とする。
【０００９】
本発明の切り花輸送箱によれば、前記切起こし片の突起により支持板が係止されることにより、底板に当接する第２脚片を介して支持板が、切起こし片の突起と底板とに挟持された状態となる。これにより、例えば、輸送中の振動等が支持板に伝達されても、支持板は定位置に固定されるので、保水袋及び保水袋が取り付けられてる切り花を支持した状態を確実に維持することができる。
【００１０】
更に、切起こし片を底板から切起こしてその突起を支持板の後側縁に係止させるだけで、支持板を固定することができるので、その作業も容易であり、構造も簡単である。
【００１１】
また、本発明は、切り花を起立状態で収容する切り花輸送箱に収容され、切り花の下端に取り付けられて該切り花に水を供給する保水袋を支持する切り花支持部材であって、矩形状の底板の前側縁に折目線を介して連設された第１脚片を起立させ、該第１脚片の上縁に折目線を介して連設され、保水袋を支持可能とする支持孔が開設されていて前記底板よりも前後方向幅が小さい支持板を、後方側に折り倒して前記底板に対向させ、該支持板の後側縁に折目線を介して連設された第２脚片を下方に垂直に折り曲げてその下端縁を前記底板上に当接させ、前記底板に切目線により遊離自在に設けられた切起こし片を該底板から切起こして前記第２脚片の後方に起立させ、該切起こし片に設けられた突起を前記支持板の後端部の上面に係止させて、該支持板を固定してなることを特徴とする。
【００１２】
本発明の切り花支持部材によれば、切り花の保水袋を支持する構造を持たない既存の切り花輸送箱に収容するだけで、切り花の下端に取り付けられた保水袋を確実に支持することができる。そして、本発明の切り花支持部材によっても、前記本発明の切り花輸送箱と同様に、切起こし片を底板から切起こしてその突起を支持板の後側縁に係止させるだけで、組立てることができるので、その作業も容易であり、構造も簡単である。
【図面の簡単な説明】
【００１３】
【図１】本発明の切り花輸送箱の実施形態をその前面板を開放させた状態で示す説明図。
【図２】図１の切り花輸送箱の展開図。
【図３】図１の切り花輸送箱の組立て作業時の状態を示す説明図。
【図４】図１の切り花輸送箱の要部の断面説明図。
【図５】図１の切り花輸送箱の他の組立て手順を示す説明図。
【図６】図５に続く組立て手順を示す説明図。
【図７】本発明の切り花輸送箱の実施形態における変形例の展開図。
【図８】本発明の切り花支持部材の実施形態を示す説明図。
【図９】図８の切り花支持部材の展開図。
【発明を実施するための形態】
【００１４】
本発明の切り花輸送箱の実施形態を、図１乃至図７を参照して説明する。切り花輸送箱１は、図１に示すように、縦長の直方体形状であり、内部に図示しない切り花の束を起立状態で収容するものである。切り花の束は後述するように、下端に保水袋が取り付けられる。保水袋は周知のようにポリ袋等が用いられ、内部に保水材と共に水が収容される。切り花の束の下端に保水袋を取り付けておくことにより、切り花輸送箱１に収容され包装された切り花に水を供給することができ、輸送中の切り花の鮮度を保つことができる。
【００１５】
切り花輸送箱１は、段ボール板紙を材料とし、図２に示す展開状態から組立てられる。先ず、図２を参照して切り花輸送箱１の構成を説明する。なお、図２は展開された状態の切り花輸送箱１を内面となる側から示している。
【００１６】
図２を参照して、切り花輸送箱１は、矩形状の底板２と、底板２の右側縁に沿って折目線を介して連設された第１側板３と、底板２の左側縁に沿って折目線を介して連設された第２側板４とを備えている。第１側板３と第２側板４との夫々には、把持孔５，６が形成されている。
【００１７】
第１側板３の前側となる端縁には、折目線を介して前面板７が連設されており、第２側板４の後側となる端縁には、折目線を介して背面板８が連設されている。更に、第２側板４の上側となる端縁には、折目線を介して天板９が連設されており、天板９の先端縁には折目線を介して接着片１０が連設されている。
【００１８】
天板９の後側となる端縁、及び底板２の後側となる端縁には、夫々、背面板８の内側に折り曲げる後部内フラップ１１，１２が折目線を介して連設されている。第１側板３の後側となる端縁には、背面板８の内面の周辺部に重合させて接着する後部重合片１３が折目線を介して連設されている。
【００１９】
天板９の前側となる端縁には、前面板７の内側に折り曲げる前部内フラップ１４が折目線を介して連設され、第２側板４の前側となる端縁には、前面板７の内面の周辺部に重合させる前部重合片１５が折目線を介して連設されている。
【００２０】
底板２の前側となる端縁には、折目線を介して第１脚片１６が連設されている。第１脚片１６の先端縁（組立てにより上縁となる）には、折目線を介して支持板１７が連設されている。更に、支持板１７の先端縁（組立てにより後側の端縁となる）には、折目線を介して第２脚片１８が連設されている。
【００２１】
支持板１７は、先端縁寄り（第２脚片１８側）の略中央部が開放され、その対向する一対の内縁には遊離自在の遊離片１９，２０が連設されている。後述するが、遊離片１９，２０を互いに離反する方向に遊離させて支持板１７の一部を開放させることにより、支持孔２１（図１参照）が形成されると共に、支持孔２１の前側には支持板１７の一部が張り出し部１７ａとして残留形成される。
【００２２】
底板２には、切れ目により遊離する一対の切起こし片２２，２３が形成されている。各切起こし片２２，２３には、切起こした際に前方に突出する突起２４，２５が形成されている。
【００２３】
以上の構成の切り花輸送箱１を組立てるとき、先ず、接着片１０を第１側板３の上端部に接着することにより、底板２、第１側板３、第２側板４、及び天板９からなる四角筒状の胴部を形成する。このとき、例えば、天板９を第２側板４との境界の折目線を介して第２側板４に重合するように折り曲げ、次いで、第１側板３を底板２との境界の折目線を介して底板２に重合するように折り曲げて、接着剤を塗布した接着片１０上に第１側板３の上端部を重合させて接着し、その後、底板２及び天板９を介して第１側板３と第２側板４とを互いに離反させるようにすれば、四角筒状の胴部を円滑に形成することができる。
【００２４】
次いで、後部内フラップ１１，１２を内方に折り曲げると共に、後部重合片１３を両後部内フラップ１１，１２の外側に折り曲げ、更に背面板８を折り曲げて後部重合片１３の外側に重合させる。そして、後部重合片１３と背面板８とを、粘着テープやステープル等の連結部材を用いて連結する。これにより、切り花輸送箱１は、図３に示すように、背面側が閉塞され、前面側が開放された縦長の箱形状に形成される。なお、後部重合片１３と背面板８とに接着剤を塗布して互いに接着することにより背面側を閉塞してもよい。
【００２５】
続いて、図３に示す状態から、底板２に対して第１脚片１６を起立させ、第１脚片１６の上縁から後方側に支持板１７を折り倒して底板２に対向させ、更に、支持板１７の後側縁から下方に垂直に第２脚片１８を折り曲げてその下端縁を底板２上に当接させる。
【００２６】
次いで、図４に示すように、切起こし片２２，２３を底板２から切起こして起立させ、支持板１７の後端部に、その上方から突起２４，２５を係止させる。これにより、接着剤等を用いることなく、支持板１７を底板２上に固定することができる。
【００２７】
続いて、支持板１７の一対の遊離片１９，２０を下方に押し下げて支持孔２１を形成する。これにより、切り花輸送箱１は図１に示す形状に組立てられる。そして、図示しないが、切り花の束を切り花輸送箱１の内部に収容したときに、支持板１７の支持孔２１に保水袋が挿入支持される。このとき、支持板１７は、底板２の左右側上方と底板２の前側上方とを大略コ字形に覆い、遊離片１９，２０により開放された支持孔２１に保水袋を収めると、保水袋が支持板１７の張り出し部１７ａに掛止されるので、保水袋が支持孔２１内部に確実に支持される。
【００２８】
そして、切り花の束を収容した後に、前部内フラップ１４及び前部重合片１５を内方に折り曲げ、前面板７により前方を閉塞して、前部重合片１５と前面板７とを粘着テープ等で封止することで、切り花の束が包装される。このとき、図４に示すように、切り花輸送箱１の内部では、支持板１７が切起こし片２２，２３の突起２４，２５により係止されているので、切り花輸送箱１の輸送中の振動等が支持板１７に伝達されても、支持板１７は底板２上に固定された状態が維持され、保水袋を支持した状態を確実に維持することができる。
【００２９】
上記の手順以外に、次の手順によってもよい。即ち、先ず、底板２、第１側板３、第２側板４、及び天板９からなる四角筒状の胴部を形成する。次いで、前面側と背面側との何れも閉塞することなく、図５に示すように、支持板１７を底板２上に固定して支持孔２１を形成する。
【００３０】
そして、図６に示すように、前部内フラップ１４及び前部重合片１５を内方に折り曲げ、前面板７により前方を閉塞して、前部重合片１５と前面板７とを粘着テープ等で封止してから、横倒状態を維持して背面側から切り花の束を収容する。このとき、切り花の束の下端に取り付けられた保水袋を支持孔２１に収めると、保水袋が支持板１７の張り出し部１７ａに掛止される。そして、後部重合片１３と背面板８とを、粘着テープやステープル等の連結部材を用いて連結し背面側を閉塞する。これによれば、保水袋の内部の水が張り出し部１７ａの内側に確実に入り込み、保水袋からの水漏れ等を防止して切り花の束の包装作業が行える。
【００３１】
なお、切り花輸送箱１の展開状態として、図２に示すように１枚の段ボール板紙により形成されるものを挙げたが、それ以外に、切り花輸送箱１は図７に示すように２枚の段ボール板紙により形成することもできる。
【００３２】
このものでは、図７に示すように、底板２と第２側板４が分離されており、底板２側の端縁（第２側板４側の端縁でもよい）に他の接着片２６が設けられている。それ以外の構成は、図２に示すものと同一である。そして、切り花輸送箱１の組立てに先立って、他の接着片２６を第２側板４に接着し、図２に示す１枚の段ボール板紙と同様の形状とする。
【００３３】
これによると、図２に示す１枚の段ボール板紙からの切り花輸送箱１を組立てに比べて、他の接着片２６による接着作業のために作業工数が増加するが、図７に示す２枚の段ボール板紙によれば、段ボール板紙を切り花輸送箱１に対応する形状に打ち抜いたときの端切れ等の無駄が少なくなり、材料コストを低減することができる。
【００３４】
上述の実施形態においては、切り花輸送箱１に支持板１７が一体に連設されているものを示したが、切り花輸送箱１と支持板１７とを一体に構成せずに、図８に示すように、切り花支持部材３０を既存の輸送箱３１に収納し、輸送箱３１内部に切り花の下端に取り付けられた保水袋を支持するようにしてもよい。
【００３５】
切り花支持部材３０は、その展開状態において、図９に示すように、矩形状の底板３２と、底板３２の前側となる端縁に折目線を介して連設された第１脚片３３と、第１脚片３３の先端縁（組立てにより上縁となる）に折目線を介して連設された支持板３４と、支持板３４の先端縁（組立てにより後側の端縁となる）に折目線を介して連設された第２脚片３５とを備えている。
【００３６】
支持板３４は、先端縁寄り（第２脚片３５側）の略中央部が開放され、その対向する一対の内縁には遊離自在の遊離片３６，３７が連設されている。そして、遊離片３６，３７を互いに離反する方向に遊離させることにより、支持孔３８（図８参照）が形成されると共に、支持孔３８の前側には支持板３４の一部が張り出し部３４ａとして残留形成される。
【００３７】
底板２には、切れ目により遊離する一対の切起こし片３９，４０が形成されており、各切起こし片３９，４０には、切起こした際に前方に突出する突起４１，４２が形成されている。
【００３８】
切り花支持部材３０を組立てるときには、底板３２に対して第１脚片３３を起立させ、第１脚片３３の上縁から後方側に支持板３４を折り倒して底板３２に対向させ、更に、支持板３４の後側縁から下方に垂直に第２脚片３５を折り曲げてその下端縁を底板３２上に当接させる。
【００３９】
次いで、切起こし片３９，４０を底板３２から切起こして起立させ、支持板３４の後端部に、その上方から突起４１，４２を係止させ、更に、遊離片３６，３７を互いに離反する方向に遊離させて支持孔３８を形成する。
【００４０】
このようにして組立てた切り花支持部材３０を、図８に示すように、既存の輸送箱３１に収納し、図示しないが、輸送箱３１の底板４３上に載置（接着することが好ましい）する。切り花支持部材３０を輸送箱３１と別の部材として用意することにより、既存の輸送箱３１を用いて切り花輸送箱を容易に形成することができる。
【００４１】
なお、切り花の束を輸送箱３１により包装するときには、切り花の束を切り花支持部材３０に支持させた状態で、輸送箱３１に収容させてもよく、また、輸送箱３１に切り花支持部材３０を組み付けた後に切り花の束を輸送箱３１内の切り花支持部材３０に支持させるようにしてもよい。更に、このとき、第２脚片３５側を下側にして切り花支持部材３０を起立させ、支持孔３８を介して張り出し部３４ａの内側に保水袋が挿入し、横倒姿勢で切り花の束を切り花支持部材３０に支持させた状態で、輸送箱３１に収容してもよい。こうすることにより、保水袋からの水漏れ等を防止して切り花の束の包装作業が行える。
【００４２】
そして、切り花支持部材３０の支持孔３８には、保水袋が挿入支持されるが、このとき、保水袋が支持板３４の張り出し部３４ａに掛止されるので、保水袋が支持孔３８内部に確実に支持される。
【符号の説明】
【００４３】
１…切り花輸送箱、２，３２…底板、３，４…側板、７…前面板、８…背面板、９…天板、１６，３３…第１脚片、１７，３４…支持板、１８，３５…第２脚片、２１，３８…支持孔、２２，２３，３９，４０…切起こし片、２４，２５，４１，４２…突起、３０…切り花支持部材。
【図１】
0005200082.tif 000002
【図２】
0005200082.tif 000003
【図３】
0005200082.tif 000004
【図４】
0005200082.tif 000005
【図５】
0005200082.tif 000006
【図６】
0005200082.tif 000007
【図７】
0005200082.tif 000008
【図８】
0005200082.tif 000009
【図９】
0005200082.tif 000010